(57)【要約】      （修正有）【課題】心身霊レジャー健康ハウスを提供する。【解決手段】一つのコンテナ（１００），一つの後上板（１０１），一つの後下板（１０２），一つの後中板（１０３），一つの前上板，一つの前下板，複数の前支柱，複数の脚柱と複数の手すりを含んでなり、後上板（１０１）が、コンテナ（１００）の後方から上向きに引き上げられる位置に接続され、後下板（１０２）が、コンテナ（１００）の後方から下向きに引き下げられる位置に接続され、後中板（１０３）が、後下板（１０２）から後上板（１０１）と後下板（１０２）との間まで引き上げられる位置に接続され、前上板が、コンテナ（１００）の前方から上向きに引き上げられる位置に接続され、前下板が、コンテナ（１００）の前方から下向きに引き下げられる位置に接続され、前支柱が、前上板と前下板との間を支持する位置に接続される。【選択図】図１（ｅ）
0003208700.tif 000002
【実用新案登録請求の範囲】
【請求項１】
心身霊レジャー健康ハウスは、一つのコンテナ（100），一つの後上板（101），一つの後下板（102），一つの後中板（103），一つの前上板（104），一つの前下板（105），複数の前支柱（106），複数の脚柱（107）と複数の手すり（108）を含んでなり、該後上板（101）が、該コンテナ（100）の後方から上向きに引き上げてもよい位置に接続され、該後下板（102）が、該コンテナ（100）の後方から下向きに引き下げてもよい位置に接続され、該後中板（103）が、該後下板（102）から該後上板（101）と後下板（102）との間まで引き上げてもよい位置に接続され、該前上板（104）が、該コンテナ（100）の前方から上向きに引き上げてもよい位置に接続され、該前下板（105）が、該コンテナ（100）の前方から下向きに引き下げてもよい位置に接続され、該前支柱（106）が、該前上板（104）と前下板（105）との間を支持する位置に接続され、該脚柱（107）が、該コンテナ（100）を支持して地面から離れる位置に接続され、更に該手すり（108）が、該コンテナ（100）の前方周囲と各前支柱（106）との間に接続され、且つ該心身霊レジャー健康ハウスが、他の該心身霊レジャー健康ハウスと接続して積み重ねてもよいことを特徴とする心身霊レジャー健康ハウス。
【考案の詳細な説明】
【技術分野】
【０００１】
本考案は、移動可能式コンテナを利用して移動式の緑建築ハウス・モジュール（mobile green building house module）を構築して構成するレジャー健康ハウスに関するもので、特に他の土地ブロックに繰り返して複製できる接続可能性および累積可能性などの特性を更に有する。
【背景技術】
【０００２】
先に本考案に関連する特許が、特許公報第M355969号の「移動式上昇拡張ハウス」で、これが、或る種の移動式上昇拡張ハウスで、上層ハウス，下層ハウス，屋根と電動式上昇装置などの構造を含むポップアップハウス（pop-up house）で、その中でも、上層ハウスと屋根が電動式上昇装置により上昇でき、屋根と上層ハウスが降下する時に、複数枚の折り畳み板を、上層ハウスと下層ハウスとの間の収納空間内に収納し、その軽量化が折畳みと移動に寄与する特性は、極めて適当に建設現場，レジャー農場またはテント活動場所に応用する。
【考案の概要】
【考案が解決しようとする課題】
【０００３】
本考案が解決しようとする問題は、例えば該前述の引例に示すように、目前に未だハウス・モジュールが他の土地ブロックに繰り返して複製できる接続可能性および累積可能性などの特性を、有しないものである。
【課題を解決するための手段】
【０００４】
本考案が解決しようとする問題の技術手段は、移動可能式コンテナを利用して移動式の緑建築ハウス・モジュール（mobile green building house module）を構築して構成するレジャー健康ハウスで、この移動可能式コンテナ・アーキテクチャが、その展開後に拡張使用面積のレジャー健康ハウスと見なしてもよく、且つコンテナ・アーキテクチャの接続可能性と累積可能特性を利用し、或る土地ブロックに放置方式となり、更にこのレジャー健康ハウスにより他の土地ブロックに繰り返して複製され、つまり心身霊レジャー健康村の集落を快速にビルドできる。
【考案の効果】
【０００５】
本考案は、従来技術の効果と対照し、大型のハードトップ・テントなどのレジャー，娯楽，短期滞在居住の使用に供するために、ファウンデーションのビルドしがく、土地との永久式固定接続がなく、レジャー健康ハウスを快速に設計してビルドし、且つ心身霊レジャー健康村の集落を快速にビルドでき、或る種の新たな形態となり、土地のダメージがなく、農作，レジャー，養生，娯楽，救助と被災者の収容に適用できる。
【図面の簡単な説明】
【０００６】
【図１（ａ）】本考案の移動可能式の単一展開室内空間のコンテナ・アーキテクチャ健康ハウスのインストール過程（1）である。
【図１（ｂ）】本考案の移動可能式の単一展開室内空間のコンテナ・アーキテクチャ健康ハウスのインストール過程（2）である。
【図１（ｃ）】本考案の移動可能式の単一展開室内空間のコンテナ・アーキテクチャ健康ハウスのインストール過程（3）である。
【図１（ｄ）】本考案の移動可能式の単一展開室内空間のコンテナ・アーキテクチャ健康ハウスのインストール過程（4）である。
【図１（ｅ）】本考案の移動可能式の単一展開室内空間のコンテナ・アーキテクチャ健康ハウスのインストール過程（5）である。
【図１（ｆ）】本考案の移動可能式の単一展開室内空間のコンテナ・アーキテクチャ健康ハウスのインストール過程（6）である。
【図１（ｇ）】本考案の移動可能式の単一展開室内空間のコンテナ・アーキテクチャ健康ハウスのインストール過程（7）である。
【図１（ｈ）】本考案の移動可能式の単一展開室内空間のコンテナ・アーキテクチャ健康ハウスのインストール過程（8）である。
【図１（ｉ）】本考案の移動可能式の単一展開室内空間のコンテナ・アーキテクチャ健康ハウスのインストール過程（9）である。
【図１（ｊ）】本考案の移動可能式の単一展開室内空間のコンテナ・アーキテクチャ健康ハウスのインストール過程（10）である。
【図２（ａ）】本考案の双展開室内空間のコンテナ・アーキテクチャ健康ハウスである。
【図２（ｂ）】本考案の積み重ねコンテナ・アーキテクチャ健康ハウスである。
【図３】レジャー健康村の設計1が複数個の単層単一展開室内空間の健康ハウスを排列してなるレジャー健康村で、?字型排列形式である。
【図４】レジャー健康村の設計2が複数個の双層累積双展開室内空間の健康ハウスを排列してなるレジャー健康村で、直線排列形式である。
【図５】レジャー健康村の設計3が複数個の単層双展開室内空間の健康ハウスを排列してなるレジャー健康村で、アレイ排列形式である。
【考案を実施するための形態】
【０００７】
本考案の移動可能式コンテナ・アーキテクチャ健康ハウスのインストール過程が、下記の通りである。
【０００８】
図1（a）は、該コンテナ（100）が未だ展開しない時における外観で、展開しようとする時に、例えば図1（b）に示すように、つまり後上板（101）を上向きに引き上げ、図1（c）が該後上板（101）を上向きに引き上げる外観で、そして図1（d）が後下板（102）と後中板（103）を合併すると同時に下向きに引き下げている外観で、そして図1（e）が、既に後下板（102）を底まで引き下げ且つ後下板（102）箇所から後中板（103）を、後上板（101）と後下板（102）との間まで引き上げる時における外観で、そして図1（f）が前上板（104）を上向きに引き上げている時における外観で、そして図1（g）が前下板（105）を下向きに引き下げている外観で、そして図1（h）が既に前下板（105）を底まで引き下げる外観で、そして図1（i）が前支柱（106）により前上板（104）と前下板（105）を支持する外観で、且つこのコンテナ（100）が複数個の脚柱（107）により支持して地面から離れ、そして図1（j）が、該コンテナ（100）の前方周囲と各前支柱（106）との間に一般的な高度の手すり（108）にて包囲されることにより、前下板（105）の上にある人が落下することを、避ける。
以上の記述が、「単層単一展開の室内空間ハウス110」の実施例である。
【０００９】
本考案は、ハウス・モジュールをより接続して積み重ねてもよく、例えば図2（b）は、二つのコンテナ・アーキテクチャの緑建築ハウス・モジュールをより接続して積み重ねて達成する「双層累積双展開室内空間ハウス112」の実施例である。
【００１０】
その他にも、心身霊レジャー健康村をもビルドでき、前述のハウスを、他の土地ブロックに繰り返して複製し、つまり心身霊レジャー健康村の集落を快速にビルドでき、例えば図3に示すように、つまり複数個の単層単一展開の室内空間ハウス110によりビルドされた心身霊レジャー健康村の集落で、?字型排列形式となり、これが或る実施例の平面図で、その中でも、各単層単一展開の室内空間ハウス110がブロック図により表示される。
【００１１】
そして図4は、複数個の双層累積双展開室内空間ハウス112によりビルドされた心身霊レジャー健康村の集落で、直線排列形式となる実施例の平面図で、その中でも、各双層累積双展開室内空間ハウス112がブロック図により表示される。
【００１２】
図5は、複数個の単層双展開室内空間の健康ハウス111によりビルドされた心身霊レジャー健康村の集落で、アレイ排列形式となる実施例の平面図で、その中でも、各単層双展開室内空間の健康ハウス111がブロック図により表示される。
【００１３】
実施方式において述べるのは、ただ本考案中の複数個の実施例で、本考案が、依然として随時に需要に応じて多方面の変更，拡充，応用を作成でき、これにより、その機能をより拡大し、これらが依然として本考案の実用新案登録請求の範囲内に属する。
【符号の説明】
【００１４】
100  コンテナ  
101  後上板  
102  後下板
103  後中板   
104  前上板
105  前下板
106  前支柱
107  脚柱
108  手すり
110  単層単一展開の室内空間部屋（他の展開が室外空間）
111  単層双展開の室内空間部屋
【図１（ａ）】
0003208700.tif 000003
【図１（ｂ）】
0003208700.tif 000004
【図１（ｃ）】
0003208700.tif 000005
【図１（ｄ）】
0003208700.tif 000006
【図１（ｅ）】
0003208700.tif 000007
【図１（ｆ）】
0003208700.tif 000008
【図１（ｇ）】
0003208700.tif 000009
【図１（ｈ）】
0003208700.tif 000010
【図１（ｉ）】
0003208700.tif 000011
【図１（ｊ）】
0003208700.tif 000012
【図２（ａ）】
0003208700.tif 000013
【図２（ｂ）】
0003208700.tif 000014
【図３】
0003208700.tif 000015
【図４】
0003208700.tif 000016
【図５】
0003208700.tif 000017
【手続補正書】
【提出日】平成28年10月14日(2016.10.14)
【手続補正１】
【補正対象書類名】実用新案登録請求の範囲
【補正対象項目名】全文
【補正方法】変更
【補正の内容】
【実用新案登録請求の範囲】
【請求項１】
心身霊レジャー健康ハウスは、一つのコンテナ（100），一つの後上板（101），一つの後下板（102），一つの後中板（103），一つの前上板（104），一つの前下板（105），複数の前支柱（106），複数の脚柱（107）と複数の手すり（108）を含んでなり、該後上板（101）が、該コンテナ（100）の後方から上向きに引き上げられる位置に接続され、該後下板（102）が、該コンテナ（100）の後方から下向きに引き下げられる位置に接続され、該後中板（103）が、該後下板（102）から該後上板（101）と後下板（102）との間まで引き上げられる位置に接続され、該前上板（104）が、該コンテナ（100）の前方から上向きに引き上げられる位置に接続され、該前下板（105）が、該コンテナ（100）の前方から下向きに引き下げられる位置に接続され、該前支柱（106）が、該前上板（104）と前下板（105）との間を支持する位置に接続され、該脚柱（107）が、該コンテナ（100）を支持して地面から離れる位置に接続され、更に該手すり（108）が、該コンテナ（100）の前方周囲と各前支柱（106）との間に接続され、且つ該心身霊レジャー健康ハウスが、他の該心身霊レジャー健康ハウスと接続して積み重ねてもよいことを特徴とする心身霊レジャー健康ハウス。